(57)【要約】【課題】建材同士の縦継目が柱スパン間に位置する場合であっても該建材の横ズレを防止することができる建材の取付金具及び取付構造を提供する。【解決手段】取付金具１は、取付金具本体２０と横長材１０とからなる。取付金具本体２０の係止部２４によって下段側の建材５０の上部を係止し、支持部２６によって上段側の建材５０を支承する。取付金具本体２０は横長材１０の左端又は右端にビス１５によりビス留めされている。横長材１０はビス２により柱又は間柱の縦銅縁５４に固着されている。【選択図】図４
2007070943.tif 000002
【特許請求の範囲】
【請求項１】
建物の柱に対し板状の建材を取り付けるための取付金具であって、
柱の前面に取り付けられる横長板状の横長材と、
下段側建材の上部を前後移動不能に係止する係止部、上段側の建材の下部が載荷され、該建材下部を前方移動不能に支持する支持部、及び、該下段側建材の側面に当接して建材の横移動を阻止するストッパ片を有する取付金具本体と、
を有する建材取付金具において、
該取付金具本体が前記横長材の長手方向の一端側に固着されていることを特徴とする建材取付金具。
【請求項２】
請求項１において、前記横長材の長手方向の長さが２５０〜５００ｍｍであることを特徴とする建材取付金具。
【請求項３】
請求項１又は２において、前記横長材は平板状であることを特徴とする建材取付金具。
【請求項４】
請求項３において、該横長材の長手方向の縁部に沿ってリブが折り立てられていることを特徴とする建材取付金具。
【請求項５】
壁面の柱列に対し複数枚の板状の建材を取付金具によって取り付けた建材の取付構造において、
少なくとも一部の該建材同士の縦継目が柱同士のスパン間に位置しており、
該柱に請求項１ないし４のいずれか１項に記載の取付金具の横長材が固定され、該取付金具の取付金具本体に建材が留め付けられ、該取付金具本体のストッパ片が建材同士の縦継目間に差し込まれていることを特徴とする建材の取付構造。
【請求項６】
壁面の柱列に対し複数枚の板状の建材を取付金具によって取り付ける建材の取付工法において、
少なくとも一部の該建材同士の縦継目が柱同士のスパン間に位置する場合に請求項１ないし４のいずれか１項に記載の取付金具を用いる工法であって、
該取付金具の取付金具本体によって建材を留め付けると共に、該取付金具本体のストッパ片を建材同士の縦継目間に差し込むように該取付金具の横長材を該柱に固定することを特徴とする建材の取付工法。
【発明の詳細な説明】
【技術分野】
【０００１】
本発明は建材の取付金具と、それを用いて建材を柱に取り付けた構造及び工法に関するものである。詳しくは、柱に対し複数の板状建材を上下に多段に取り付ける場合に採用される取付金具と、この取付金具を用いた建材の取付構造及び取付工法とに関するものである。さらに詳しくは、この取付金具が建材の横ずれ防止機構を備えたものに関する。
【背景技術】
【０００２】
板状の建材を建築物の外壁等の壁面に対し、上下に多段に且つ水平左右方向に並列させて取付施工する場合、建材の上辺及び下辺を金具で支承することが多い。この金具として、下段側の建材の上辺を支持する支持部と、上段側の建材の下辺を係止する係止部を有し、釘又はビスによって壁面に固定されるものが用いられている。
【０００３】
第６図はかかる取付金具の従来の一例（特開平８−１２０８９４号）を示す斜視図である。この取付金具（同号公報では接合金具と指称している）８０は、基台８２と、該基台８２上に立設される幹板部８４と、該幹板部８４の上縁から両側に延設される枝板部８５Ａ，８５Ｂとからなる。８８Ａはビス穴、８８Ｂは釘穴である。この枝板部８５Ａによって下段側の建築板の上辺を支承し、枝板部８６Ｂによって上段側の建築板の下辺を支承する。
【０００４】
このように板状建材（建築板）の上辺と下辺とを支承した場合、強風、地震、振動その他の外力が加えられたときに、建材が横ずれするおそれがある。この横ずれを防止するために、上記の特開平８−１２０８９４号においては、第６図の通り、基台８２の一側縁から係止板８７を前方に突設している。
【０００５】
ところで、従来、取付金具を用いて建材を柱に取付施工するに際し、第７図の通り、建材５０同士の縦継目Ｊが柱５２の胴縁５４の前方に来る場合、通常の取付金具６０にて建材を柱に留め付けることができる。なお、第７図において、柱５２の前面に防水シート５６が張られ、胴縁５４が釘留めされ、板状建材５０が下段側から順次に取付施工される。この建材の上辺には雄実５０ａが設けられ、下辺には雌実５０ｂが設けられている。
【０００６】
下段側の建材５０の雄実５０ａに取付金具６０を係合させ、この取付金具６０を釘又はビスにより胴縁５４に留め付ける。次いで、下段側建材５０の雄実５０ａに上段側建材５０の雌実５０ｂを係合させると共に、この雌実５０ｂを取付金具６０に係合させる。以下、この手順を繰り返すことにより壁面が構築される。
【０００７】
ところが、建材の左右寸法が柱スパンの整数倍でない場合などには、建材同士の縦継目が柱同士のスパン間に来ることになり、この場合には、前記第６図の取付金具６０では縦継目を挟んで隣り合う建材を跨ぐことができず、両建材の出入りに差が生じることになる。
【０００８】
かかる短所を克服するものとして、特開２００４−２７０３４１号公報には、柱同士の間にレールを架設し、該レールにストッパ片付き建材取付金具をスライド可能に取り付け、該建材取付金具をレールに沿ってスライドさせてストッパ片を建材の側面同士の間に入り込ませた後、建材取付金具をレールに固定することが記載されている。
【特許文献１】特開平８−１２０８９４号公報
【特許文献２】特開２００４−２７０３４１号公報
【発明の開示】
【発明が解決しようとする課題】
【０００９】
この特開２００４−２７０３４１号公報では、レールに建材取付金具をスライド自在に装着しており、構成が若干複雑であり、コスト高である。
【００１０】
本発明は、上記従来の問題点を解決し、建材同士の縦継目が柱スパン間に位置する場合に該建材の横ズレを防止することができる建材の取付金具及び取付構造を安価に提供することを目的とする。
【課題を解決するための手段】
【００１１】
請求項１の建材取付金具は、建物の柱に対し板状の建材を取り付けるための取付金具であって、柱の前面に取り付けられる横長板状の横長材と、下段側建材の上部を前後移動不能に係止する係止部、上段側の建材の下部が載荷され、該建材下部を前方移動不能に支持する支持部、及び、該下段側建材の側面に当接して建材の横移動を阻止するストッパ片を有する取付金具本体と、を有する建材取付金具において、該取付金具本体が前記横長材の長手方向の一端側に固着されていることを特徴とするものである。
【００１２】
請求項２の建材取付金具は、請求項１において、前記横長材の長手方向の長さが２５０〜５００ｍｍであることを特徴とするものである。
【００１３】
請求項３の建材取付金具は、請求項１又は２において、前記横長材は平板状であることを特徴とするものである。
【００１４】
請求項４の建材取付金具は、請求項３において、該横長材の長手方向の縁部に沿ってリブが折り立てられていることを特徴とするものである。
【００１５】
請求項５の建材の取付構造は、壁面の柱列に対し複数枚の板状の建材を取付金具によって取り付けた建材の取付構造において、少なくとも一部の該建材同士の縦継目が柱同士のスパン間に位置しており、該柱に請求項１ないし４のいずれか１項に記載の取付金具の横長材が固定され、該取付金具の取付金具本体に建材が留め付けられ、該取付金具本体のストッパ片が建材同士の縦継目間に差し込まれていることを特徴とするものである。
【００１６】
請求項６の建材の取付工法は、壁面の柱列に対し複数枚の板状の建材を取付金具によって取り付ける建材の取付工法において、少なくとも一部の該建材同士の縦継目が柱同士のスパン間に位置する場合に請求項１ないし４のいずれか１項に記載の取付金具を用いる工法であって、該取付金具の取付金具本体によって建材を留め付けると共に、該取付金具本体のストッパ片を建材同士の縦継目間に差し込むように該取付金具の横長材を該柱に固定することを特徴とするものである。
【発明の効果】
【００１７】
本発明の建材取付金具は、横長材と取付金具本体とを有し、この横長材に取付金具本体が固着されている。このため、横長材に対し取付金具本体をスライド自在に装着するための機構が不要であり、構造が簡易で安価なものとなる。
【００１８】
この横長材は、例えば極めて安価な平板状のもので足りる。平板の縁部にリブを折り立てて剛性を高くしてもよく、この場合でも、著しく安価である。この横長材の長手方向の長さは２５０〜５００ｍｍと短くて足り、これによっても原価を低減することができる。
【００１９】
本発明の建材取付金具は、ストッパ片を下段側建材同士の継目に差し込み、横長材を１つの柱に取り付けるようにして建材取り付けに用いられる。
【００２０】
なお、吾国の建築構造では、柱・間柱（スタッド）間隔は最大でも５００ｍｍである。従って、建材同士の縦継目が柱からずれたとしても、このずれ幅は、最寄りの柱から２５０ｍｍ以下となる。従って、横長材の長さを２５０〜５００ｍｍとし、横長材の端部に最端部に取付金具本体を固着しておくことにより、建材同士の縦継目が如何なる位置にあっても、ストッパ片を建材同士の縦継目に差し込んでその横ズレを防止することができる。
【００２１】
本発明の構造及び工法にあっては、取付金具本体の位置を合わせた後、横長材を建物の片方の柱に固定するようにするため、施工が簡単である。従来のように取付金具本体の両側にある柱両方に取付金具本体を止めつける場合に比べ、本発明の場合、柱への固定位置と金具本体の位置の微妙な調整も必要ないため極めて施工が容易である。
【発明を実施するための最良の形態】
【００２２】
以下、図面を参照して実施の形態について説明する。
【００２３】
第１図は実施の形態に係る取付金具の正面図、第２図はこの取付金具本体の分解斜視図、第３図は取付金具本体の斜視図、第４図はこの取付金具を用いた建材取付構造を示す斜視図、第５図はこの構造における第３図のＶ−Ｖ線断面図である。
【００２４】
この取付金具１は、長手方向の長さが好ましくは２５０〜５００ｍｍ、特に好ましくは３００〜３５０ｍｍの横長板状の横長材１０と、この横長材１０の長手方向の一端側に固着された取付金具本体２０とからなる。この実施の形態では、取付金具本体２０はリベット１５によって横長材１０に固着されているが、ビス留めや溶接であってもよい。
【００２５】
横長材１０は、長方形の板材の一長手辺（上辺）を直角に折り立ててリブ１１を形成したものである。取付金具本体２０は、その上辺を該リブ１１に当接させてリベット留めされている。
【００２６】
次に、取付金具本体２０の構成について詳細に説明する。
【００２７】
該取付金具本体２０は、柱又は間柱に固定されるベース部２２と、このベース部２２から切り起こしにより形成された、下段側の建材の上辺を係止する係止部２４及び上段側の建材の下辺を支持する支持部２６と、該ベース部２２に設けられたストッパ片４０の差込み用の開口２８と、該ベース部２２を固定するためのビス１５が挿通されるビス孔３０とを有している。この実施の形態では左右方向に３個のビス孔が設けられており、そのうちの中央の孔３０にリベット１５が挿通されている。
【００２８】
該ベース部２２は柱又は間柱に沿って配置されたときにその前面が全体として該柱又は間柱から所定距離前方に位置する板状のものである。該ベース部２２の下縁部及び左右の側縁部からは、脚片部３２，３４が後方に立設されている。
【００２９】
該開口２８は、ベース部２２の左右幅方向の中央付近の下縁部に沿って設けられている。
【００３０】
係止部２４は、該開口２８の切り抜き残片を折曲させた下向きＬ形片であり、該開口２２の上縁部から前方に延出している。支持部２６は上向きＬ形片よりなり、支持部２６の左右の両サイドに配置されている。なお、この実施の形態では、ベース部２２の左右両側縁部の下部に、下段側の建材の裏面に食い込んだり、側面に当接したりすることが可能な爪片３８が突設されている。該爪片３８の上下両側にスリット３８ａ，３８ｂが形成されることにより舌片部３８ｃがベース部２２に設けられている。このベース部２２の先端に爪片３８が設けられている。この舌片部３８ｃは後方に向って変形可能である。
【００３１】
前記ストッパ片４０は、該開口２８の下側の縁部を形成する脚片部３２を弾性的に挟持する弾性挟持部４２と、該弾性挟持部４２から下方に垂下した垂下片４４を有している。この垂下片４４に、係止同士の間に差し込まれるストッパ片本体４４ａが一体に設けられている。該ストッパ片４０は、該弾性挟持部４２が脚片部３２を挟持することによりベース部２２に装着される。
【００３２】
この取付金具本体２０及び横長材１０よりなる取付金具１を用いた建材の取付構造について第４，５図を参照して説明するなお、第４，５図では、第７図と同一部分には同一符号を付してある。
【００３３】
柱と間柱がスパン４５５ｍｍにて立設されており、建材５０が柱に沿って下段側から順次に取り付け施工される。この取り付け手順は、取付金具として本発明のものを用いること以外は従来と同様である。なお、第４図でも防水シート５６が張設されている。これらの建材５０及び防水シート５６の構成は第７図と同様である。
【００３４】
取付金具本体２０の係止部２４が下段側建材５０の上辺の雄実５０ａに係合され、ストッパ片本体４４ａが該建材５０の側面に当接される。その後、この取付金具１の横長材１０がビス２によって柱５２又は間柱前面の胴縁５４に対し固定される。これにより、建材５０の上部は前方への移動が拘束される。
【００３５】
なお、第４図では建材５０，５０の縦継目が柱５２の右側に近接しているので、第１図（ａ）に示すように横長材１０の右端に取付金具本体２０を固着した取付金具１を用いているが、縦継目が柱５２の左側に近接しているときには、第１図（ｂ）に示すように横長材１０の左端に取付金具本体２０を固着した取付金具１を用いる。
【００３６】
次いで、この建材５０に水平に隣接する建材５０を施工する。下段側のすべての建材５０の施工が終了した後、上段側の建材５０の施工を行う。この場合、上段側の建材５０の下辺の雌実５０ｂを支持部２６に載置する。これにより、建材５０が支承されると共に、建材５０の下部の前方への移動が拘束される。上段側の建材５０の上辺は、取付金具１を用いて上記と同様にして柱又は間柱の胴縁５４に留め付けられる。
【００３７】
なお、建材同士の縦継目が柱又は間柱に重なるときには、横長材１０を連結しない取付金具本体２０を用いれば足りる。
【００３８】
上記のように、この実施の形態では横長材１０と取付金具本体２０とからなる取付金具１を用いているので、建材５０の縦継目Ｊが柱、間柱の胴縁５４から外れていても左右に隣接する建材５０を面出入りを揃えて取付施工することができる。しかも、取付金具１のストッパ片４０により、建材５０の横ズレも防止される。
【００３９】
この取付金具１は、板状の横長材１０と取付金具本体２０とからなるものであり、構成が簡易で安価である。なお、取付金具本体２０としては、横長材１０を水平に取り付け可能なものであれば、市販品を用いることができる。
【００４０】
上記実施の形態は本発明の一例であり、本発明は図示以外の形態をもとりうる。
【００４１】
上記実施の形態では、本柱、間柱に建材が取付施工されているが、鉄骨や既存外壁に取付施工されてもよい。
【図面の簡単な説明】
【００４２】
【図１】本発明の実施の形態に係る建材の取付金具の正面図である。
【図２】図１の取付金具の分解斜視図である。
【図３】取付金具本体の斜視図である。
【図４】実施の形態に係る建材取付構造を示す斜視図である。
【図５】図３のＶ−Ｖ線に沿う断面図である。
【図６】従来の取付金具を示す斜視図である。
【図７】従来例を示す斜視図である。
【符号の説明】
【００４３】
１  取付金具
１０  横長材
１５  リベット
２０  取付金具本体
２４  係止部
２６  支持部
４０  ストッパ片
４４ａ  ストッパ片本体
【図１】
2007070943.tif 000003
【図２】
2007070943.tif 000004
【図３】
2007070943.tif 000005
【図４】
2007070943.tif 000006
【図５】
2007070943.tif 000007
【図６】
2007070943.tif 000008
【図７】
2007070943.tif 000009